(57)【特許請求の範囲】
【請求項１】
第１のデータストアを含むリモート取引処理システムであって、
前記第１のデータストアは、ユーザ装置のためのユーザ装置プロファイルを含み、
前記ユーザ装置プロファイルは、前記ユーザ装置への通信経路を決めるための経路データを含み、
該リモート取引処理システムは、ユーザ装置を売り手との取引のために指定する支払い要求を受信すると、前記売り手に対応するＰＯＳ設定プロファイルを読み出し、指定された前記ユーザ装置に対応する前記第１のデータストアから前記ユーザ装置プロファイルを読み出すように構成され、
該リモート取引処理システムは、前記ＰＯＳ設定プロファイルに従属するＰＯＳ設定を前記経路データに応じて前記ユーザ装置に送信するように構成され、前記ＰＯＳ設定は、前記ユーザ装置を前記売り手との前記取引のためのＰＯＳ端末として動作させるために、前記ユーザ装置によって実行可能であって、
前記ユーザ装置プロファイルは前記ユーザ装置の暗号化キーペアのうちの公開鍵を含み、
該リモート取引処理システムは、前記公開鍵を使って送信された前記ＰＯＳ設定を暗号化するように構成される、
リモート取引処理システム。
【請求項２】
第１のデータストアを含むリモート取引処理システムであって、
前記第１のデータストアは、ユーザ装置のためのユーザ装置プロファイルを含み、
前記ユーザ装置プロファイルは、前記ユーザ装置への通信経路を決めるための経路データを含み、
該リモート取引処理システムは、ユーザ装置を売り手との取引のために指定する支払い要求を受信すると、前記売り手に対応するＰＯＳ設定プロファイルを読み出し、指定された前記ユーザ装置に対応する前記第１のデータストアから前記ユーザ装置プロファイルを読み出すように構成され、
該リモート取引処理システムは、前記ＰＯＳ設定プロファイルに従属するＰＯＳ設定を前記経路データに応じて前記ユーザ装置に送信するように構成され、前記ＰＯＳ設定は、前記ユーザ装置を前記売り手との前記取引のためのＰＯＳ端末として動作させるために、前記ユーザ装置によって実行可能であって、
前記第１のデータストアは、それぞれの前記ユーザ装置に関連付けられたユーザ装置証明書を含み、
前記ユーザ装置証明書は、前記ユーザ装置の公開鍵を含む、
リモート取引処理システム。
【請求項３】
第１のデータストアを含むリモート取引処理システムであって、
前記第１のデータストアは、ユーザ装置のためのユーザ装置プロファイルを含み、
前記ユーザ装置プロファイルは、前記ユーザ装置への通信経路を決めるための経路データを含み、
該リモート取引処理システムは、ユーザ装置を売り手との取引のために指定する支払い要求を受信すると、前記売り手に対応するＰＯＳ設定プロファイルを読み出し、指定された前記ユーザ装置に対応する前記第１のデータストアから前記ユーザ装置プロファイルを読み出すように構成され、
該リモート取引処理システムは、前記ＰＯＳ設定プロファイルに従属するＰＯＳ設定を前記経路データに応じて前記ユーザ装置に送信するように構成され、前記ＰＯＳ設定は、前記ユーザ装置を前記売り手との前記取引のためのＰＯＳ端末として動作させるために、前記ユーザ装置によって実行可能であって、
売り手のウェブサイトをさらに備え、
前記売り手のウェブサイトは、支払いに使われるユーザ装置プロファイルを指定するユーザから、識別子を受信するように構成される支払いのユーザインターフェースを含み、
該リモート取引処理システムは、前記識別子に応じて前記ユーザ装置プロファイルを読み出すように構成される、
リモート取引処理システム。
【請求項４】
第２のデータストアをさらに備え、
前記第２のデータストアは、複数の売り手のそれぞれのためのＰＯＳ設定プロファイルを含み、
該リモート取引処理システムは、前記第２のデータストアから前記売り手のための前記ＰＯＳ設定プロファイルを読み出すように構成される、
請求項１から３の何れか１項に記載のシステム。
【請求項５】
第１のデータストアを含むリモート取引処理システムであって、
前記第１のデータストアは、ユーザ装置のためのユーザ装置プロファイルを含み、
前記ユーザ装置プロファイルは、前記ユーザ装置への通信経路を決めるための経路データを含み、
該リモート取引処理システムは、ユーザ装置を売り手との取引のために指定する支払い要求を受信すると、前記売り手に対応するＰＯＳ設定プロファイルを読み出し、指定された前記ユーザ装置に対応する前記第１のデータストアから前記ユーザ装置プロファイルを読み出すように構成され、
該リモート取引処理システムは、前記ＰＯＳ設定プロファイルに従属するＰＯＳ設定を前記経路データに応じて前記ユーザ装置に送信するように構成され、前記ＰＯＳ設定は、前記ユーザ装置を前記売り手との前記取引のためのＰＯＳ端末として動作させるために、前記ユーザ装置によって実行可能であって、
第２のデータストアをさらに備え、
前記第２のデータストアは、複数の売り手のそれぞれのためのＰＯＳ設定プロファイルを含み、
該リモート取引処理システムは、前記第２のデータストアから前記売り手のための前記ＰＯＳ設定プロファイルを読み出すように構成され、
前記ＰＯＳ設定プロファイルは、それぞれの前記売り手に関連付けられたＰＯＳ証明書を含む、
リモート取引処理システム。
【請求項６】
前記第１のデータストアと前記第２のデータストアとは、同一のデータストアである、
請求項４または５に記載のシステム。
【請求項７】
前記経路データは、前記ユーザ装置との通信を行うための複数の経路を含み、
該リモート取引処理システムは、前記ユーザ装置との通信を行うための前記複数の経路から１つの経路を決定するように構成される、
請求項１から６の何れか１項に記載のシステム。
【請求項８】
前記経路データの前記経路は順位がつけられ、
該リモート取引処理システムは、前記順位に応じて、前記ユーザ装置に到達する１つの経路を特定するように構成される、
請求項７に記載のシステム。
【請求項９】
前記経路は、さまざまな通信路を通じて、前記ユーザ装置と通信する経路を含む、
請求項７または８に記載のシステム。
【請求項１０】
前記通信路は、ＳＭＳ、インスタントメッセージ、データ通信ネットワーク上の規定のアドレスへの通信、または通信ネットワークを通じたデータ呼び出しを含む１組から選択される、
請求項９に記載のシステム。
【請求項１１】
前記第１のデータストアは、複数のユーザ装置のそれぞれのためのユーザ装置プロファイルを含む、
請求項１から１０の何れか１項に記載のシステム。
【請求項１２】
前記第１のデータストアは、前記ユーザ装置からリモートである、
請求項１１に記載のシステム。
【請求項１３】
前記第１のデータストアは、前記ユーザ装置に対してローカルである、
請求項１から１０の何れか１項に記載のシステム。
【請求項１４】
複数の売り手のそれぞれのために、支払い要求を受信するように構成された支払い処理システムをさらに備える、
請求項１から１３の何れか１項に記載のシステム。
【請求項１５】
前記支払い処理システムは、支払い要求を受信すると、前記売り手から前記ＰＯＳ設定プロファイルを受信するように構成される、
請求項１４に記載のシステム。
【請求項１６】
ユーザ装置をさらに備え、
前記ユーザ装置は、ＰＯＳ端末アプリケーションと支払い用カードリーダを含み、
前記ユーザ装置は、売り手との取引のためのＰＯＳ設定を受信し、前記ＰＯＳ設定に応じて前記ＰＯＳ端末アプリケーションを設定し、前記ＰＯＳ端末アプリケーションを介して、前記取引の支払いのための前記支払い用カードリーダを介して支払い用カードを読み込むように構成される、
請求項１から１５の何れか１項に記載のシステム。
【請求項１７】
前記ユーザ装置は、内部で前記ＰＯＳ端末アプリケーションが実行されるセキュアエレメントを含み、
前記セキュアエレメントは、ＳＩＭ、ＵＩＣＣもしくはＥＳＥ（Embedded Secure Element）、ＴＥＥ（Trusted Execution Environment）またはセキュアな環境を含む１組から選択される、
請求項１６に記載のシステム。
【請求項１８】
前記セキュアエレメントは、前記ユーザ装置に挿入されるか、組み込まれるか、またはビルトインされている、
請求項１７に記載のシステム。
【請求項１９】
ユーザ装置を売り手との取引のために指定する支払い要求を受信することと、
前記売り手に対応するＰＯＳ設定プロファイルを読み出すことと、
前記ユーザ装置への通信経路を決めるための経路データを含む、指定された前記ユーザ装置に対応するユーザ装置プロファイルを読み出すことと、
前記ＰＯＳ設定プロファイルに従属するＰＯＳ設定を前記経路データに応じて前記ユーザ装置に送信することと、を備え、
前記ＰＯＳ設定は、前記ユーザ装置を前記売り手との前記取引のためのＰＯＳ端末として動作させるために前記ユーザ装置によって実行可能であって、
公開鍵と秘密鍵のキーペアのうちの公開鍵を含む暗号化された証明書を前記ユーザ装置プロファイルに関連付けることと、
前記公開鍵を使って前記ＰＯＳ設定の少なくともいくつかの要素を暗号化することと、
暗号化された前記ＰＯＳ設定を前記ユーザ装置において前記秘密鍵を使って復号化することと、をさらに備える、
リモート取引処理方法。
【請求項２０】
ユーザ装置を売り手との取引のために指定する支払い要求を受信することと、
前記売り手に対応するＰＯＳ設定プロファイルを読み出すことと、
前記ユーザ装置への通信経路を決めるための経路データを含む、指定された前記ユーザ装置に対応するユーザ装置プロファイルを読み出すことと、
前記ＰＯＳ設定プロファイルに従属するＰＯＳ設定を前記経路データに応じて前記ユーザ装置に送信することと、を備え、
前記ＰＯＳ設定は、前記ユーザ装置を前記売り手との前記取引のためのＰＯＳ端末として動作させるために前記ユーザ装置によって実行可能であって、
前記ユーザ装置において、
前記ＰＯＳ端末によって前記ユーザ装置におけるカード払い取引を処理するステップと、
前記ＰＯＳ端末において支払い取引データに署名するステップと、
前記ＰＯＳ端末において署名された前記支払い取引データを暗号化するステップと、
前記ＰＯＳ端末によって暗号化されて署名された前記支払い取引データを支払いサービスホストに送るステップと、
前記ＰＯＳ端末によって前記ＰＯＳ端末のメモリから支払い情報を削除するステップと、
を実行することをさらに備える、
リモート取引処理方法。
【請求項２１】
前記暗号化された証明書をデータストアに格納することをさらに備え、
前記ユーザ装置プロファイルを読み出すことは前記証明書を読み出すことを含む、
請求項１９に記載の方法。
【請求項２２】
前記支払い要求を受信することは、取引に関する情報を受信することを含み、
前記ＰＯＳ設定を前記経路データに応じて前記ユーザ装置に送信することは、前記取引に関する前記情報と前記ＰＯＳ設定プロファイルとに応じて前記ＰＯＳ設定を生成することを含む、
請求項１９から２１の何れか１項に記載の方法。
【請求項２３】
ユーザ装置を売り手との取引のために指定する支払い要求を受信することと、
前記売り手に対応するＰＯＳ設定プロファイルを読み出すことと、
前記ユーザ装置への通信経路を決めるための経路データを含む、指定された前記ユーザ装置に対応するユーザ装置プロファイルを読み出すことと、
前記ＰＯＳ設定プロファイルに従属するＰＯＳ設定を前記経路データに応じて前記ユーザ装置に送信することと、を備え、
前記ＰＯＳ設定は、前記ユーザ装置を前記売り手との前記取引のためのＰＯＳ端末として動作させるために前記ユーザ装置によって実行可能であって、
前記支払い要求を受信することは、取引に関する情報を受信することを含み、
前記ＰＯＳ設定を前記経路データに応じて前記ユーザ装置に送信することは、前記取引に関する前記情報と前記ＰＯＳ設定プロファイルとに応じて前記ＰＯＳ設定を生成することを含み、
前記ＰＯＳ設定を生成することは、公開鍵／秘密鍵の暗号化キーペアのうちの秘密鍵を使って、前記ＰＯＳ設定に署名することを含む、
リモート取引処理方法。
【発明の詳細な説明】
【技術分野】
【０００１】
本発明は、特に売り手からリモートの買い手が取引での使用に適用可能な、システム、方法およびＰＯＳ端末に関する。
【背景技術】
【０００２】
オンラインの店舗や売り手は、支払方法としてクレジットカードやデビットカードを受け付けることが多い。オンラインのカード払いにおける問題の１つは、ユーザがページの入力欄にカード情報を手で入力しなければならないか、あるいは、カード情報がそのオンラインショップのウェブサイトに関連付いていなければならない点である。
【０００３】
上述のオンラインのカード払いは、取引の瞬間に、売り手が物理的なカードの存在を確かめられないため、いわゆるＣＮＰ（Card Not Present）取引であると言える。ＣＮＰ取引は簡単に偽装することができ、売り手のリスクが高い。したがって、それに関連した取引手数料は高くなる。
【０００４】
例えば、ユーザが自分自身のカード情報を入力しているという保証は無い。つまり、カード情報は盗難するか、さもなければ不正に手に入れることが可能であり、売り手および／または消費者の経済的損失を招くことができる。ウェブサイトに送信された情報は、その情報にアクセスした誰かによって、または、ユーザとウェブサイトの間の通信からその情報を検出できる”仲介者”によって、不正な取引に悪用されうる。これをなし得るにはいくつかの方法がある。
【０００５】
ＣＮＰ取引を安全にするためのさまざまな仕組みが提案されている。しばしば、これらは実質的に安全性が高まっていないか、現行のシステムとの互換性が無いために現行の基盤とオンラインウェブサイトへの大規模な改修を必要とする。典型的なＰＯＳ（Point Of Sale）端末は、それぞれのＰＯＳ端末が特定の売り手用に構築されているので、エンドユーザがＣＮＰ取引のために自宅または他の場所で使用するには適していない。買い手が店頭で支払いを行うと、ＰＯＳ端末はあらかじめ設定された銀行口座に支払いを移送する。支払いが正しい売り手の銀行口座に移送されるために、消費者自身が利用しようと思っているすべての個別のオンラインの売り手のためのＰＯＳ端末を持つことを、それぞれの消費者に期待するのは現実的ではない。
【発明の概要】
【課題を解決するための手段】
【０００６】
本発明の１つの観点によれば、第１のデータストアを含み、第１のデータストアは、ユーザ装置のためのユーザ装置プロファイルを含み、ユーザ装置プロファイルは、ユーザ装置への通信経路を決めるための経路データを含み、リモート取引処理システムは、ユーザ装置を売り手との取引のために指定支払い要求を受信すると、売り手に対応するＰＯＳ設定プロファイルを読み出し、指定されたユーザ装置に対応する第１のデータストアからユーザ装置プロファイルを読み出すように構成され、リモート取引処理システムは、ＰＯＳ設定プロファイルに従属するＰＯＳ設定を経路データに応じてユーザ装置に送信するように構成され、ＰＯＳ設定は、ユーザ装置を売り手との取引のためのＰＯＳ端末として動作させるために、ユーザ装置によって実行可能である、リモート取引処理システムが提供される。
【０００７】
好ましくは、ユーザ装置プロファイルはユーザ装置の暗号化キーペアのうちの公開鍵を含み、リモート取引処理システムは、公開鍵を使って送信されたＰＯＳ設定を暗号化するように構成される。
【０００８】
好ましくは、経路データは、ユーザ装置との通信を行うための複数の経路を含み、リモート取引処理システムは、ユーザ装置との通信を行うための複数の経路から１つの経路を決定するように構成される。
【０００９】
経路データの経路は順位がつけられても良く、リモート取引処理システムは、順位に応じて、ユーザ装置に到達する１つの経路を特定する。
【００１０】
好ましくは、経路は、さまざまな通信路を通じて、ユーザ装置と通信する経路を含む。
【００１１】
通信路は、ＳＭＳ、インスタントメッセージ、データ通信ネットワーク上の規定のアドレスへの通信、または通信ネットワークを通じたデータ呼び出しを含む１組から選択されても良い。
【００１２】
本システムは、第２のデータストアをさらに備えても良く、第２のデータストアは、複数の売り手のそれぞれのためのＰＯＳ設定プロファイルを含み、リモート取引処理システムは、第２のデータストアから売り手のためのＰＯＳ設定プロファイルを読み出すように構成される。
【００１３】
第２のデータストアは、それぞれの売り手に関連付けられたＰＯＳ証明書を含んでも良く、ＰＯＳ証明書は、売り手のＰＯＳ設定プロファイルを含む。
【００１４】
第１のデータストアは、それぞれのユーザ装置に関連付けられたユーザ装置証明書を含んでも良く、ユーザ装置証明書は、ユーザ装置の公開鍵を含む。
【００１５】
第１および第２のデータストアは、同一のデータストアとしても良い。
【００１６】
第１のデータストアは、複数のユーザ装置のそれぞれのためのユーザ装置プロファイルを含んでも良い。
【００１７】
第１のデータストアは、ユーザ装置からリモートでも良い。
【００１８】
第１のデータストアは、ユーザ装置からユーザ装置プロファイルが読み出せるように、ユーザ装置に対してローカルであっても良い。
【００１９】
本システムは、売り手のウェブサイトを含んでも良く、売り手のウェブサイトは、支払いに使われるユーザ装置プロファイルを指定するユーザから、識別子を受信するように構成される支払いのユーザインターフェースを含み、リモート取引処理システムは、識別子に応じてユーザ装置プロファイルを読み出すように構成される。
【００２０】
本システムは、複数の売り手のそれぞれのために、支払い要求を受信するように構成された支払い処理システムを含んでも良い。
【００２１】
支払い処理システムは、支払い要求を受信すると、売り手からＰＯＳ設定プロファイルを受信するように構成されても良い。
【００２２】
本システムは、ユーザ装置を含んでも良く、ユーザ装置は、ＰＯＳ端末アプリケーションと支払い用カードリーダを含み、ユーザ装置は、売り手との取引のためのＰＯＳ設定を受信し、ＰＯＳ設定に応じてＰＯＳ端末アプリケーションを設定し、ＰＯＳ端末アプリケーションを介して、取引の支払いのための支払い用カードリーダを介して支払い用カードを読み込むように構成される。
【００２３】
ユーザ装置は、内部でＰＯＳ端末アプリケーションが実行されるセキュアエレメントを含んでも良く、セキュアエレメントは、ＳＩＭ、ＵＩＣＣもしくはＥＳＥ（Embedded Secure Element）、ＴＥＥ（Trusted Execution Environment）またはセキュアな環境を含む１組から選択される。
【００２４】
セキュアエレメントは、ユーザ装置に挿入されるか、組み込まれるか、またはビルトインされていても良い。
【００２５】
本発明の別の観点によれば、ユーザ装置を売り手との取引のために指定する支払い要求を受信し、売り手に対応するＰＯＳ設定プロファイルを読み出し、指示されたユーザ装置に対応するユーザ装置プロファイルであって、ユーザ装置への通信経路を決めるための経路データを含むユーザ装置プロファイルを読み出し、ＰＯＳ設定プロファイルに従属するＰＯＳ設定を経路データに応じてユーザ装置に送信し、ＰＯＳ設定はユーザ装置を売り手との取引のためのＰＯＳ端末として動作させるためにユーザ装置によって実行可能である、リモート取引処理方法が提供される。
【００２６】
この方法は、さらに、暗号化された証明書をユーザ装置に関連付け、この証明書は公開鍵と秘密鍵のキーペアのうちの公開鍵を含み、公開鍵を使ってＰＯＳ設定の少なくともいくつかの要素を暗号化し、暗号化されたＰＯＳ設定をユーザ装置において秘密鍵を使って復号化しても良い。
【００２７】
この方法は、さらに、暗号化された証明書をデータストアに格納し、ユーザ装置プロファイルを読み出すステップはこの証明書を読み出すことを含んでも良い。
【００２８】
支払い要求を受信するステップは、取引に関する情報を受信することを含み、ＰＯＳ設定を送信するステップは、その取引に関する情報とＰＯＳ設定プロファイルとに応じてＰＯＳ設定を生成することを含んでも良い。
【００２９】
ＰＯＳ設定を生成するステップは、公開鍵／秘密鍵の暗号化キーペアのうちの秘密鍵を使って、ＰＯＳ設定に署名することを含んでも良い。
【００３０】
この方法は、ユーザ装置において、ＰＯＳ端末によってユーザ装置におけるカード払い取引を処理するステップと、ＰＯＳ端末において支払い取引データに署名するステップと、ＰＯＳ端末において署名された支払い取引データを暗号化するステップと、ＰＯＳ端末によって暗号化されて署名された支払い取引データを支払いサービスホストに送るステップと、ＰＯＳ端末によってＰＯＳ端末のメモリからその支払い情報を削除するステップと、を実行することをさらに備えても良い。１つ以上の実施例において、すべての送信および受信を安全にする方法と、リモートから設定できるＰＯＳ端末システムが提供される。この方法は、ＰＯＳ端末暗号化キーと、取引の入力に基づいて、支払い情報を暗号化するためにＰＯＳ端末暗号化キーを使う売り手の支払いシステムのホストを含む。また、この方法は、生成された支払い情報に秘密鍵で署名することと、署名された支払い情報を送ることを含む。売り手または売り手の支払いのサービスプロバイダは、支払い情報の中に送られた指示に基づいて、売り手自身のＰＯＳ端末プロファイルとともにＰＯＳ端末を設定する。
【００３１】
１つ以上の実施例において、ＰＯＳ端末をリモートから設定する方法が提供される。この方法は、ＰＯＳ端末において、署名された支払い情報を受信することが含まれる。また、この方法は、ＰＯＳ端末において、公開鍵証明書を使って、支払い情報を確認することを含む。
【００３２】
１つ以上の実施例において、ＰＯＳ端末をリモートから設定する方法が提供される。この方法は、売り手の装置において、取引の入力を受信することが含まれる。また、この方法は、売り手の装置において、取引の入力に基づいて支払い情報を生成することと、生成された支払い情報に秘密鍵で署名することを含む。さらに、この方法は、署名された支払い情報と、認証局によって署名された公開鍵証明書とをＰＯＳ端末に送ることを含む。この方法は、ＰＯＳ端末において認証局の公開鍵証明書を使って、公開鍵証明書を確認することと、ＰＯＳ端末において認証局が署名した公開鍵証明書を使って、支払い情報を確認することとを含む。また、この方法は、支払い情報がＰＯＳ端末において確認された場合に、支払い情報の中に受信された指示に従ってＰＯＳ端末においてＰＯＳ端末の端末プロファイルを設定することを含む。
【００３３】
支払い情報と第１の公開鍵証明書は、署名された支払い情報と第１の公開鍵証明書を送信する前は、ＰＯＳ端末およびアクワイアリングバンクのうちの１つの第２の公開鍵証明書を使用する。
【００３４】
本発明の実施の形態について、あくまでも例として、添付図面を参照して説明する。
【図面の簡単な説明】
【００３５】
【図１】本発明の一実施形態に係るリモート取引処理システムの概略図である。
【図２】図１のシステムの動作中の局面の概略図である。
【図３】ＰＯＳのアプリケーションを実行する（それによってＰＯＳ端末となる）モバイルユーザ装置に、売り手が支払い情報を送る取引のフローを示す図である。
【図４】アクワイアリングバンクを使わずに、セキュリティクリアランスの発行と一時的なＰＯＳ端末プロファイルを構成することを示す概略図である。
【図５】オンラインの消費者が買い物用に分けられた端末と支払い用のモバイル装置を使った取引の通信を示す図である。
【図６】オンラインの消費者が買い物用と支払い用にモバイル装置を使った取引の通信を示す図である。
【発明を実施するための形態】
【００３６】
本発明の実施形態について、あくまで一例として、次に示す添付図面を参照して説明する。ここで、類似の要素については、全体を通して同様の参照符号を付す。
【００３７】
図１は、本発明の一実施形態に係るリモート取引処理システムの概略図である。
【００３８】
リモート取引処理システム１０は、第１のデータストア２０を含む。
【００３９】
第１のデータストア２０は、複数のユーザ装置のそれぞれのためのユーザ装置プロファイルを含み、それぞれのユーザ装置プロファイルはユーザ装置への通信経路を決めるための経路データを含む。
【００４０】
リモート取引処理システム１０は、ユーザ装置４０を売り手との取引のために指定する支払い要求を受信すると、売り手に対応するＰＯＳ設定プロファイルを読み出し、指定されたユーザ装置４０に対応する第１のデータストア２０からユーザ装置プロファイルを読み出すように構成される。リモート取引処理システム１０は、ＰＯＳ設定プロファイルに従属するＰＯＳ設定を経路データに応じて、データ通信ネットワーク３０を介して、ユーザ装置４０に送信する。ＰＯＳ設定は、ユーザ装置を売り手との取引のためのＰＯＳ端末として動作させるために、ユーザ装置４０によって実行可能である。
【００４１】
リモート取引処理システム１０は、任意に、第２のデータストアを含んでも良い。第２のデータストアは、複数の売り手のそれぞれのためのＰＯＳ設定プロファイルを含み、売り手のＰＯＳ設定プロファイルを読み出すためにリモート取引処理システム１０からアクセスされる。
【００４２】
第１および第２のデータストアは、別々でも一緒でも良い。また、これらは分散または複製されたデータストアであっても良い。
【００４３】
好ましくは、ＰＯＳ設定プロファイルとユーザ装置プロファイルのそれぞれは、ＰＫＩ証明書のような暗号化証明書であるか、またはそれを含む。暗号化証明書に含まれ得るデータの例を以下に論じる。
【００４４】
図２は、図１のシステムの動作中の局面の概略図である。
【００４５】
ユーザ装置４０は、本実施形態では、スマートフォンであり、プロセッサ４１と、メモリ４２と、カードリーダ４５と、ディスプレイ４３とを含む。ユーザ装置４０は、データ通信ネットワーク３０と通信するように構成される。
【００４６】
あるユーザがウェブサイト６０と情報を交換し、ウェブサイトに属する売り手とのオンライン取引での支払いが必要な段階に到達する。本実施形態では、そのユーザは、ユーザ装置４０とは異なるコンピュータ装置７０を介してウェブサイト６０にアクセスしているが、そのユーザはユーザ装置４０を介してウェブサイト６０にアクセスしているものと認識される。
【００４７】
ウェブサイト６０は、ユーザインターフェースの中で支払いの選択肢をユーザに提示する。取引におけるこの段階で普通に行われるようなクレジットカードまたはデビットカードの入力をする代わりに、ユーザはユーザ装置４０の識別子を入力する。
【００４８】
識別子を受信すると、ウェブサイト６０はこれと売り手の識別子とを支払い処理システム８０に送る。
【００４９】
支払い処理システム８０は、その売り手の識別子に対応したＰＯＳ設定プロファイルを読み出すために第１のデータストア２０にアクセスして、その識別子に対応したユーザ装置プロファイルを読み出すために第２のデータストア３０にアクセスする。
【００５０】
そして支払い処理システムは、読み出したＰＯＳプロファイルに基づいて、読み出したユーザ装置プロファイルからの経路データを使ってユーザ装置４０に送られるＰＯＳ設定９０を生成する。
【００５１】
ＰＯＳ設定９０を受信すると、ユーザ装置４０のプロセッサ４１は、メモリ４２のＰＯＳ端末アプリケーション４４を実行し、ユーザ装置を売り手のためのＰＯＳ端末として動作させるＰＯＳ設定を適用する。ユーザは支払い用カードをカードリーダ４５に提示するように促され、提示されたカードからのデータはＰＯＳ端末によって処理され、取引の完了のために支払い処理システム１００に送信される。この段階において、その取引は、支払い処理システムにとっては、ほとんど、売り手自身のＰＯＳ端末によって店舗で完全に完了しているかのように、売り手のためのＰＯＳ端末から起こっているように見える。
【００５２】
経路データは、好ましくは、ユーザ装置４０との通信を行うための複数の経路を含む。支払い処理システム８０は、好ましくは、ユーザ装置との通信を行うための複数の経路から１つの経路を決定するように構成される。例えば、経路データ中の経路は順位がつけられても良い（または、順位として使われる必要があるときに、評価されても良い）。支払い処理システムは、順位に応じて、ユーザ装置に到達する１つの経路を特定するように構成されても良い。
【００５３】
経路は、好ましくは、さまざまな通信路を通じて、ユーザ装置と通信する経路を含む。例えば、通信路は、ＳＭＳ、インスタントメッセージ、データ通信ネットワーク上の規定のアドレスへの通信、または通信ネットワークを通じたデータ呼び出しを含む１組から選択されても良い。
【００５４】
例えば、ユーザ装置プロファイルは、ｇｏｏｇｌｅメッセンジャーアドレスを好ましい経路として、Ｓｋｙｐｅアドレスを第１のフォールバックとして、モバイル装置の番号へのＳＭＳを第２のフォールバックとして指定しても良い。ＰＯＳプロファイルを送信しようとすると、支払い処理システム８０は、最初にＧｏｏｇｌｅメッセンジャーを介して装置に送信を試み、それからＳＭＳメッセージを送る前にＳｋｙｐｅを通じて同様のことを試みる。ＳＭＳその他のペイロードが限られた通信機構の場合、複数のメッセージが使われても良いし、そうでなければ、メッセージがユーザ装置にＰＯＳプロファイルを読み出すように指示をするリンクまたはその他のパラメータを含んでも良い。
【００５５】
経路データは、ユーザ装置のＭＳＩＳＤＮ（電話）番号、偽名、装置識別子（例えばＩＭＥＩ）、セキュアエレメント識別子（例えばＩＭＳＩ）、電子メールアドレス、インターネットアドレス、デジタル通信ネットワークアドレス、またはＢｌｕｅｔｏｏｔｈアドレスを含んでも良い。
【００５６】
ＰＯＳ設定プロファイルは、証明書の形式であるか、もしくは証明書を含んでも良く、例えば、証明書の内容を認証する暗号化署名、支払い処理システム８０に送る支払いの詳細などの取引情報を送る際にＰＯＳ端末アプリケーションによって使われるバンキングデータおよび／または支払い処理データのうち１つ以上を含んでも良い。
【００５７】
ＰＯＳ設定は、受信した支払い情報に関連付けられた取引を行うために、カード所有者認証に成功していることが必要であるかどうかを決定するユーザ装置のＰＯＳ端末アプリケーションによって使われる情報を含んでも良い。
【００５８】
ＰＯＳ設定は、対応済みのカード所有者認証方法についての情報を含んでも良い。
【００５９】
ＰＯＳ設定は、日付、時刻、金額、通貨、フロアリミット、非接触限度額、取引限度額、取引識別子、売り手の名称および売り手の国名のうちの１つ以上を含む支払い情報を含んでも良い。
【００６０】
ＰＯＳ設定プロファイルは、ＰＳＰＩＤ（Payment Service Provider Identification）、ＭＩＤ（Merchant Identification）コードおよび／またはＴＩＤ（Terminal Identification）コードのうちの１つ以上を含んでも良い。
【００６１】
ユーザ装置プロファイルは、証明書の形式であるか、もしくは証明書を含んでも良く、ユーザ装置の暗号化キーペアの公開鍵、ユーザ装置のＩＭＳＩ、ユーザ装置のＭＳＩＳＤＮ（電話）番号、セルラネットワークサービスプロバイダの識別子、セキュアエレメント識別子、モバイル装置の識別子、利用可能な通貨、利用不可能な通貨、最大購入額、カード所有者認証を伴う高価格購入に対応するインジケータ、最大購入額、最小購入額、有効期限、利用可能なモバイル装置のＩＤ、対応カードブランドの一覧、ＰＯＳアプリケーションソフトウェアのバージョン番号、金銭上の危機管理情報のうちの１つ以上を含んでも良い。
【００６２】
好ましくは、ユーザ装置は、携帯電話、スマートフォン、タブレットまたはその他の電子計算装置などのモバイル装置である。それは多目的の装置（適切なアプリを搭載したスマートフォンまたは、ＰＯＳ端末として動作するためのその他のハードウェア／ソフトウェア／ファームウェアなど）であっても良く、もしくは、リモート取引を実施する際にユーザにＰＯＳ機能を提供する専用端末であっても良い。好ましくは、ユーザ装置は、チップ・アンド・ピンなどのカードリーダ、磁気ストライプおよび／または短距離通信（ＮＦＣなど）アンテナ、ディスプレイ、メモリ、プロセッサ、プロセッサが実行可能なプログラム、電源、無線周波送信機、携帯電話アンテナまたはその他のネットワークコネクタ、およびキーパッド、タッチスクリーン、カメラおよび／またはマイクなどのユーザ入力手段を含む。
【００６３】
ユーザ装置の暗号化キーペアは、ユーザ装置内で生成されても良く、もしくは、ユーザ装置に割り当てられても良い。暗号化キーペアは、製造中にユーザ装置に格納されても良い。
【００６４】
ユーザ装置は、セルラネットワーク、Ｂｌｕｅｔｏｏｔｈまたはその他の短距離電波通信、インターネット、ローカルエリアネットワーク、無線ローカルエリアネットワーク、モバイル装置に埋め込まれたカメラ、装置に接続されたケーブル、マイク、またはメモリカードのうちの１つ以上を通じて通信しても良い。
【００６５】
支払い処理装置８０は、好ましくは、ユーザ装置プロファイルからの公開鍵を使って、送信されたＰＯＳ設定を暗号化するように構成される。
【００６６】
好ましい実施形態は、ユーザ装置をＰＯＳ端末として動作可能にする。好ましい実施形態においては、好ましくは、ＰＯＳ端末として動作するユーザ装置に一時的にのみ割り当てられて格納される売り手のプロファイルを用い、特定の取引が続く間、そのような一時的な売り手のプロファイルが使用されることを認めて、安全なリモート取引処理が可能となる。一時的な売り手のプロファイルが作動して使用中になっている間に、ユーザ装置は、売り手のリモートＰＯＳ端末として、ＰＯＳ端末が動作するように実装し、支払われた金額がその一時的なプロファイルに記述された通りに売り手の口座に入金される。特定の取引が完結すると、好ましくは、一時的なプロファイルは削除され、そのため端末は新しいプロファイルと取引の入力を受けるまで使用できなくなる。
【００６７】
理解されるように、好ましい実施形態では、買い手は、どこにも自分の支払い用カード情報を入力する必要が無く、そのため、カード情報は不正に使われ得ない。
【００６８】
同時継続中の米国特許出願第６１／７２６，１２１号の中で議論されているように、ＰＯＳアプリケーション４４は実装されても良く、その内容は全て本願に取り込まれる。アプリケーション４４は、ハードウェア、ファームウェア、ソフトウェア、またはそれらのいくつかの組み合わせの中に実装されても良く、ＵＩＣＣ／ＳＩＭカードの中に存在しても良い。それは、ＥＭＶ支払い用カード体系に準拠し、セキュリティ認証のＰＫＩ（Public Key Infrastructure）形式に基づくソリューションを使用することができる。
【００６９】
好ましい実施形態は、チップカードまたはモバイルウォレットを使用して、安全なオンライン支払いを可能にしている。好ましい実施形態では、ＰＯＳアプリケーション（安全なチップカードまたはユーザ装置の中に存在しても良い）たとえばＮＦＣ（Near Field Communication）カードリーダインターフェースのような、スマートカードリーダまたは近接通信機能とネットワーク通信能力を持っている。
【００７０】
好ましくは、安全な証明書は、ＰＫＩ（Public Key Infrastructure）に基づいて使用される。このようなセキュリティキー管理チェーンの一体性は、システム内で高いセキュリティレベルの生成と維持を可能とする。
【００７１】
（セキュリティ管理）
セキュリティを管理するシナリオはいくつかある。第１のシナリオは、売り手、アクワイアリングバンク、認証局（ＣＡ（Certificate Authority）、例えばカードスキーム）、および買い手が関係する場合である。第２のシナリオは、売り手、認証局（ＣＡ）、および買い手を含む。第３のシナリオもまた、ＰＯＳ証明書データベースを管理および操作する信頼されている第三者を含む。
【００７２】
ユーザ装置は、ＰＯＳアプリケーションを介して任意に、暗号化キーペア、すなわち安全な秘密鍵と対応する公開鍵、を生成および／または使用する。キーペアはＰＯＳアプリケーション専用にもできるし、同じプロセッサおよび／またはセキュアエレメント内で動作するその他のアプリケーションと共用にもできる。
【００７３】
ユーザ装置は、好ましくは、安全な改ざん防止メモリまたはセキュアエレメントに、秘密鍵を格納する。この方法は、秘密鍵を完全な秘密状態に保ち、秘密鍵が読み取られたり、さもなければ、セキュアエレメントの外にさらされたりすることが決して無いことを保証する。
【００７４】
ユーザ装置は、好ましくは、公開鍵証明書（ユーザ装置プロファイル証明書）を生成または使用し、（最初の支払い取引に先立って）外部の証明書データベースホストに公開および送信する。図１の実施形態において、これは第１のデータストアであり（または、それと通信しており）、そのため、証明書が第１のデータストアからアクセスできる。任意に、証明書はデータベース内に格納されずに、ユーザ装置から直接読み出されても良い。
【００７５】
上記にて議論されたように、支払い処理システムは（支払いサービスホストのように）、ユーザのモバイル装置の証明書を、ＭＳＩＳＤＮもしくは同様の一意の装置またはユーザＩＤを使って、証明書データベースから読み出すことができる。
【００７６】
支払い処理システムは、任意に、消費者のモバイル装置がＰＯＳアプリケーションと互換性を持ち、取引の実行を許可することを決定するため、読み出されたユーザ装置証明書を確認しても良い。
【００７７】
支払い処理システムは、好ましくは、支払い情報をＰＯＳ端末またはゲートウェイホストに送信する前に、支払い情報を部分的または完全に暗号化するために、証明書からの公開鍵を使用する。
【００７８】
支払い処理システムは、信用照会の要求（authorization request）などの取引情報と完了した取引についての情報を受けるために、任意に、ネットワークＩＰアドレス、サーバ識別子、送信されたＰＯＳプロファイル内のドメイン名などの応答経路情報を含むことができる。
【００７９】
好ましくは、ユーザ装置のＰＯＳアプリケーションは、受信する売り手のＰＯＳ設定プロファイルが有効かどうか、および変更されていないかを検証することができる。これは、共通のＣＡから信用を受け継ぐＰＫＩセキュリティソリューションを使うことによって、達成できる。この目的のため、ＣＡの公開鍵証明書は、典型的には製造時にＰＯＳ端末に配布されるが、後の段階に行われることもできる。
【００８０】
両方のシナリオにおいて、最初のステップの前に、買い手はすでにオンラインショッピングを完了させていて、したがってその完了した支払い情報を知っている。ユーザは安全なＰＯＳ端末の機能性を持ったモバイル装置で支払う選択肢を選択し、自分のモバイル装置の番号を入力している。
【００８１】
売り手のホストは、買い手が自己の電話番号もしくはその他のＩＤを入力する手段を提供するか、または買い手を同ホストのための支払いサービスホストの支払いページに進める。ユーザのＩＤコードはクッキーまたはそれと同様の買い手の電子計算装置に格納されて、支払いページの関連する入力欄に自動的に埋められることができる。これは、買い手がクレジットカード情報を全くタイプすることの無い”ワンクリック購入”方法を使うことを可能にする。
１．買い手は自分のモバイル装置のリモートＰＯＳ端末を利用するために支払い方法を選択する。
２．売り手は、支払い情報を、例えば支払いのアクワイアラまたはＰＳＰ（Payment Service Provider）によって運用される支払いサービスホストに転送する。
３．買い手は自分のモバイル装置番号（ＭＳＩＳＤＮ）または同様の一意のＩＤを支払いサービスホストのページに入力する。
４．支払いサービスホストは買い手の入力に対応した証明書データベースホストからユーザ装置プロファイル証明書を読み出す。
５．取り出しに成功した場合、ＰＳＰは証明書を確認し、モバイル装置がＰＯＳ端末の互換性のあるバージョンを装備しているかどうかを決定する。
６．ＰＳＰは支払い情報に署名する。
７．ＰＳＰは、ＰＯＳ端末の公開鍵を使って、支払い情報を暗号化する。
８．支払い情報が有効な場合、ＰＯＳは１取引の間の支払い情報の中に受けた指示にしたがって端末プロファイルを設定する。
９．ＰＯＳは支払いの指示をユーザに提示する。
１０．ユーザは支払いを容認するか拒否することができる。
１１．容認された場合、支払いは適切な方法にしたがって処理される。
１２．支払い処理が完了したら、ＰＯＳ端末は自動的に自己のプロファイルを削除して、新しい支払い情報を受けるまで、それ以上使われることができないようにする。
【００８２】
図３および図４に移って、本発明の一実施形態について取引フロー図および概念図で示す。図３の取引フロー図は、売り手がＰＯＳアプリケーションを実行するモバイルユーザ装置（そしてそれによってＰＯＳ端末となっている）に、支払い情報を送信する取引フローを示している。図４の取引フロー図は、セキュリティクリアランスの発行とアクワイアリングバンクを使わずに一時的なＰＯＳ端末プロファイルを構成することを示す概念図を示している。このシステムは売り手の装置と認証局を含むが、アクワイアリングバンクを含まない。アクワイアリングバンクが無い実施形態では、以下の操作が行われても良い。
１．売り手は、自己の秘密鍵で支払い情報（ＰＩ）に署名する。
２．売り手は、署名されたＰＩとＣＡに署名された売り手の公開鍵証明書をＰＯＳ端末に送る。
３．ＰＯＳ端末は、ＣＡの公開鍵証明書を使って、売り手の公開鍵証明書を確認する。
４．売り手の公開鍵証明書が有効な場合、ＰＯＳはＰＩを確認するためにそれを使う。
５．ＰＩが有効な場合、ＰＯＳは１取引の間にＰＩの中に受けた指示にしたがって、自己の端末プロファイルを設定する。
６．ＰＯＳは支払いの指示をユーザに提示する。
７．ユーザは支払いを容認するか拒否することができる。
８．容認された場合、支払いは適切な方法にしたがって処理される。
９．支払い処理が完了したら、ＰＯＳ端末は自動的に自己のプロファイルを削除して、新しい支払い情報を受けるまで、それ以上使われることができないようにする。
【００８３】
セキュリティ証明書の切れ目の無い連鎖によって、同じセキュリティのレベルであるその他のシナリオも提供され得る。
【００８４】
これらのシナリオの選択は、ユーザには見えない。主な違いは、モバイル装置へのデータトラフィックの扱いであり、言い換えると、売り手が自分達のシステムとさまざまなモバイル装置との間のデータ通信を管理できる必要があるか、この複雑さをアクワイアリングバンクに集中させて実行させるかである。
【００８５】
（取引通信フロー）
図５は、オンラインの消費者が買い物用の別個の端末と支払い用のモバイル装置を使った取引の通信を示している。図６は、オンラインの消費者が買い物用と支払い用にモバイル装置を使った取引の通信を示している。
【００８６】
商品またはサービスの支払いの準備ができると（１）、ユーザは自分のモバイル装置の番号を、支払い用カード番号として、売り手のオンラインサイトで入力することができる（２）。売り手のサーバは、売り手のＰＯＳ端末プロファイルを含むが、それに限られない取引に関するすべての必要な情報、たとえば、ユーザのモバイル装置番号のみならず、代表口座番号とその他の情報、リスク管理情報、支払い処理情報、受け付けられたカードの種類、モバイルＰＯＳ端末が取引の実行を許可された国コードの一覧、モバイルＰＯＳ端末が取引の実行を許可されない国コードの一覧、購入日時、売り手の名称、および金額などを有する、支払い情報を生成する。支払い請求書は、銀行、支払いカードスキーム、認証局などの信頼されている第三者によって署名された売り手自身の秘密鍵によって署名され、支払い請求書の認証と整合性を確認するアクワイアリングバンクに送る（３）。支払い請求書が有効である場合、ＣＡは自己の秘密鍵でそれに署名し、それをユーザのモバイル装置にあるか、またはモバイル装置の中のＵＩＣＣ／ＳＩＭカードにある、安全なＰＯＳ端末アプリケーションに送る（４）。
【００８７】
データ伝送機能は、信頼されているサービス管理者またはその他の信頼されている第三者によって実行され得る。伝送は、使用されたネットワークとモバイル装置及びそれに備わっても良いＵＩＣＣカードとに対応した、任意の利用可能な通信プロトコル、例えば、インスタントメッセージ、ＳＭＳ、ＵＳＳＤ、ＴＣＰ／ＩＰまたはＣＳＤを使用できる。
【００８８】
ＣＡまたは銀行などの信頼されている第三者は、口座番号をモバイル装置番号に関連付けるデータベースを保持しても良い。
【００８９】
ＰＯＳ端末は、署名された支払い請求書を受信して、安全なメモリに常駐しているＣＡの公開鍵、信頼されているサードパーティーまたは支払いカードスキームを使って、支払い請求書の整合性と認証を確認する。
【００９０】
ＰＯＳ端末は、好ましくは、例えば、それがどの国に属しているかに関する利用可能なネットワーク情報を使って、その地理的位置を決定して、許可および禁止された国コードの一覧とその位置情報を比較する。ＰＯＳ端末の現在の地理的位置が、許可された位置にないか、もしくは禁止された位置にある場合、ＰＯＳ端末は取引を中止し、ユーザと銀行は通知されても良い。
【００９１】
支払い情報が有効な場合、ＰＯＳ端末は、あたかも売り手に属するＰＯＳ端末であるかのように動作するように自己を設定するために、支払い情報に含まれる情報を使用する。
【００９２】
支払い情報は、入力され得ないか、さもなければユーザによって変更され得ない固定の金額として支払われる金額を含む。
【００９３】
ユーザは、保留中のオンライン取引について通知され、取引を継続する許可を求められても良い。ユーザは、現状のままで取引を中止しても容認しても良いが、ユーザは、金額または取引に関連するその他の任意の設定もしくは情報を変更することはできない。
【００９４】
ＰＯＳ端末は、金額、名前、またはその他の売り手のＩＤと、潜在的な他の取引に関する情報とを表示し、ユーザの容認を求める。ユーザによって取引が容認された場合、ＰＯＳ端末は、支払い用カードがカードリーダに提示されるように求める。複数のカードまたはカードリーダがある場合、ＰＯＳ端末は、ユーザに使われるカードとカードリーダインターフェースを選ぶように求める。
【００９５】
カードリーダは、ＰＯＳ端末／モバイル装置と一体であっても良いし、それに接続した外部のカードリーダであっても良い。カードリーダは、接触型にも非接触型であっても良い。
【００９６】
取引を完了させるために、支払い用カードが、モバイル装置に埋め込まれた、または接続されたカードリーダと通信すると（５）、ユーザは、秘密のＰＩＮコード（または署名、画像、音声サンプルまたは写真などのその他の認証）のような、自分が知っている情報を提供するように求められても良い。ＰＩＮコードまたはその他の認証情報は、例えば、モバイル装置のユーザインターフェースディスプレイ、キーパッド、カメラ、音声認識機能、文字検出機能もしくはモーション検出機能、および指紋認識を使って、入力され得る。
【００９７】
支払い用カードとＰＯＳ端末の間の取引は、例えば、ＥＭＶ標準取引、非接触支払い取引、スマートカード取引、埋込式支払い用カード取引、クレジットもしくはデビットカード取引、例えばネットワークオペレータのアカウントを使用した取引、プリペイドカード、ストアドバリューカード、または財布カード取引であっても良い。
【００９８】
支払い用カードは、物理的に分離した支払い用カードであっても良く、ＰＯＳ端末と同じＵＩＣＣカードまたは同じモバイル装置に備えられることもできる。支払い用カードは、モバイル装置またはＵＩＣＣ／ＳＩＭカードにあるモバイルウォレットに備えられることができる。支払い用カードは、ＰＯＳ端末と同じＩＣ（Integrated Circuit）または、分離したＩＣに備えられることができる。ＩＣの片方もしくは両方は、ＵＩＣＣ／ＳＩＭカードまたはモバイル装置に埋め込まれることができる。支払い用カードに含まれるＩＣは、モバイル装置に埋め込まれることができ、ＰＯＳ端末に含まれるＩＣは、ＵＩＣＣカードに埋め込まれることができる。その逆も同様である。
【００９９】
ＵＩＣＣカードはＳＩＭカードおよび／またはセキュアエレメントであっても良い。
【０１００】
モバイルウォレットが使われて、それが二つ以上の支払い用カードを含んでいる場合、ユーザは自分が使いたい支払い用カードを選択することができる。
【０１０１】
支払い取引が支払いのアクワイアラに返信されて、該支払いのアクワイアラはカードの発行者（イシュア）に取引の有効性を確認し（７−８）、ＰＯＳ端末との、そしてオンラインの売り手との取引状況を確認する（９）。オンラインの売り手は、消費者に取引状況を確認することができる（１０）。取引が正常に完了した場合、資金が売り手の口座に移される。
【０１０２】
取引が承認されなかった場合、ユーザは取引を中止しても良いし、同じまたは異なる支払い用カードまたはカードリーダで再試行しても良い。
【０１０３】
一度取引が処理されて、取引が完了すると、売り手専用の設定と支払い情報は永久に削除される。
【０１０４】
本実施形態は、ＮＦＣと互換性のあるモバイル装置とＰＯＳ端末としてのＵＩＣＣカードを使って、売り手と買い手の両方にとって安全なオンライン購入を可能にする。
【０１０５】
ＰＯＳ端末は、任意のネットワークに接続したＰＯＳ端末であっても良い。
【０１０６】
支払いサービスホストは、モバイル装置またはＳＩＭカード内の、ソフトウェアアプリケーションであっても良いし、ハードウェア実装であっても良い。この場合、モバイル装置またはＳＩＭカードの、売り手のＰＯＳ端末アプリケーションは、買い手の口座から売り手の口座へ特定の経路で転送される安全な金銭取引を実施するため、自己の端末プロファイルを買い手のＰＯＳ端末アプリケーションに送ることができる。
【０１０７】
（住所データベース）
ＰＯＳ端末アプリケーション、ＰＯＳ設定データベース、またはＰＯＳ端末公開鍵証明書は、１つ以上の街路またはその他の物理的な住所のデータベースを保持することができる。住所は、例えば、リモートからの商品購入のための請求先および／または配送先住所として使用され得る。住所は、アクワイアリングバンクおよび／または売り手に送信される情報と組み合わされることができる。住所情報は、ＰＯＳ端末によって、自己の認証用秘密鍵を使って署名され、安全のために、売り手またはアクワイアリングバンクの公開鍵を使って暗号化されることができる。
【０１０８】
住所データベースは、ユーザが変更できない固定の住所と、ユーザが変更できる追加の住所とを持つことができる。
【０１０９】
住所は、少し例を挙げれば、「配送先住所」、「請求先住所」、「自宅住所」、「勤務先住所」、「ＰＯＳ端末保有者住所」のように、さまざまな目的の印を付けられることができる。住所がアクワイアリングバンクおよび／または売り手に送られたデータに含まれて、それが「配送先住所」という印を付けられていた場合、売り手はその住所を商品の配送先住所として使用するだろう。住所が「請求先住所」という印を付けられていた場合、売り手は、その住所に購入に関する請求書を送るだろう。
【０１１０】
本実施形態の観点は、プロセッサが操作を実行するように、プロセッサとともに使用されるように構成されたソフトウェアとして実施されることもでき、あるいは、１つ以上の接続された、もしくは接続されていない装置のハードウェアとして実施されることもできる。
【０１１１】
発明の好ましい形式と実施形態を示して説明したが、上述の発明の構想を逸脱することなく、さまざまな変更を行っても良いことは、当業者にとって明らかである。
【０１１２】
（付記）
（付記１）
第１のデータストアを含むリモート取引処理システムであって、
前記第１のデータストアは、ユーザ装置のためのユーザ装置プロファイルを含み、
前記ユーザ装置プロファイルは、前記ユーザ装置への通信経路を決めるための経路データを含み、
該リモート取引処理システムは、ユーザ装置を売り手との取引のために指定する支払い要求を受信すると、前記売り手に対応するＰＯＳ設定プロファイルを読み出し、指定された前記ユーザ装置に対応する前記第１のデータストアから前記ユーザ装置プロファイルを読み出すように構成され、
該リモート取引処理システムは、前記ＰＯＳ設定プロファイルに従属するＰＯＳ設定を前記経路データに応じて前記ユーザ装置に送信するように構成され、前記ＰＯＳ設定は、前記ユーザ装置を前記売り手との前記取引のためのＰＯＳ端末として動作させるために、前記ユーザ装置によって実行可能である、
リモート取引処理システム。
【０１１３】
（付記２）
前記ユーザ装置プロファイルは前記ユーザ装置の暗号化キーペアのうちの公開鍵を含み、
該リモート取引処理システムは、前記公開鍵を使って送信された前記ＰＯＳ設定を暗号化するように構成される、
付記１に記載のシステム。
【０１１４】
（付記３）
前記経路データは、前記ユーザ装置との通信を行うための複数の経路を含み、
該リモート取引処理システムは、前記ユーザ装置との通信を行うための前記複数の経路から１つの経路を決定するように構成される、
付記１または２に記載のシステム。
【０１１５】
（付記４）
前記経路データの前記経路は順位がつけられ、
該リモート取引処理システムは、前記順位に応じて、前記ユーザ装置に到達する１つの経路を特定するように構成される、
付記３に記載のシステム。
【０１１６】
（付記５）
前記経路は、さまざまな通信路を通じて、前記ユーザ装置と通信する経路を含む、
付記３または４に記載のシステム。
【０１１７】
（付記６）
前記通信路は、ＳＭＳ、インスタントメッセージ、データ通信ネットワーク上の規定のアドレスへの通信、または通信ネットワークを通じたデータ呼び出しを含む１組から選択される、
付記５に記載のシステム。
【０１１８】
（付記７）
第２のデータストアをさらに備え、
前記第２のデータストアは、複数の売り手のそれぞれのためのＰＯＳ設定プロファイルを含み、
該リモート取引処理システムは、前記第２のデータストアから前記売り手のための前記ＰＯＳ設定プロファイルを読み出すように構成される、
付記１から６の何れか１つに記載のシステム。
【０１１９】
（付記８）
前記第２のデータストアは、それぞれの前記売り手に関連付けられたＰＯＳ証明書を含み、
前記ＰＯＳ証明書は、前記売り手の前記ＰＯＳ設定プロファイルを含む、
付記１から７の何れか１つに記載のシステム。
【０１２０】
（付記９）
前記第１のデータストアは、それぞれの前記ユーザ装置に関連付けられたユーザ装置証明書を含み、
前記ユーザ装置証明書は、前記ユーザ装置の公開鍵を含む、
付記１から８の何れか１つに記載のシステム。
【０１２１】
（付記１０）
前記第１のデータストアと前記第２のデータストアとは、同一のデータストアである、
付記１から９の何れか１つに記載のシステム。
【０１２２】
（付記１１）
前記第１のデータストアは、複数のユーザ装置のそれぞれのためのユーザ装置プロファイルを含む、
付記１から１０の何れか１つに記載のシステム。
【０１２３】
（付記１２）
前記第１のデータストアは、前記ユーザ装置からリモートである、
付記１１に記載のシステム。
【０１２４】
（付記１３）
前記第１のデータストアは、前記ユーザ装置に対してローカルである、
付記１から１０の何れか１つに記載のシステム。
【０１２５】
（付記１４）
売り手のウェブサイトをさらに備え、
前記売り手のウェブサイトは、支払いに使われるユーザ装置プロファイルを指定するユーザから、識別子を受信するように構成される支払いのユーザインターフェースを含み、
該リモート取引処理システムは、前記識別子に応じて前記ユーザ装置プロファイルを読み出すように構成される、
付記１から１３の何れか１つに記載のシステム。
【０１２６】
（付記１５）
複数の売り手のそれぞれのために、支払い要求を受信するように構成された支払い処理システムをさらに備える、
付記１から１４の何れか１つに記載のシステム。
【０１２７】
（付記１６）
前記支払い処理システムは、支払い要求を受信すると、前記売り手から前記ＰＯＳ設定プロファイルを受信するように構成される、
付記１５に記載のシステム。
【０１２８】
（付記１７）
ユーザ装置をさらに備え、
前記ユーザ装置は、ＰＯＳ端末アプリケーションと支払い用カードリーダを含み、
前記ユーザ装置は、売り手との取引のためのＰＯＳ設定を受信し、前記ＰＯＳ設定に応じて前記ＰＯＳ端末アプリケーションを設定し、前記ＰＯＳ端末アプリケーションを介して、前記取引の支払いのための前記支払い用カードリーダを介して支払い用カードを読み込むように構成される、
付記１から１６の何れか１つに記載のシステム。
【０１２９】
（付記１８）
前記ユーザ装置は、内部で前記ＰＯＳ端末アプリケーションが実行されるセキュアエレメントを含み、
前記セキュアエレメントは、ＳＩＭ、ＵＩＣＣもしくはＥＳＥ（Embedded Secure Element）、ＴＥＥ（Trusted Execution Environment）またはセキュアな環境を含む１組から選択される、
付記１７に記載のシステム。
【０１３０】
（付記１９）
前記セキュアエレメントは、前記ユーザ装置に挿入されるか、組み込まれるか、またはビルトインされている、
付記１８に記載のシステム。
【０１３１】
（付記２０）
ユーザ装置を売り手との取引のために指定する支払い要求を受信することと、
前記売り手に対応するＰＯＳ設定プロファイルを読み出すことと、
前記ユーザ装置への通信経路を決めるための経路データを含む、指定された前記ユーザ装置に対応するユーザ装置プロファイルを読み出すことと、
前記ＰＯＳ設定プロファイルに従属するＰＯＳ設定を前記経路データに応じて前記ユーザ装置に送信することと、を備え、
前記ＰＯＳ設定は、前記ユーザ装置を前記売り手との前記取引のためのＰＯＳ端末として動作させるために前記ユーザ装置によって実行可能である、
リモート取引処理方法。
【０１３２】
（付記２１）
公開鍵と秘密鍵のキーペアのうちの公開鍵を含む暗号化された証明書を前記ユーザ装置プロファイルに関連付けることと、
前記公開鍵を使って前記ＰＯＳ設定の少なくともいくつかの要素を暗号化することと、
暗号化された前記ＰＯＳ設定を前記ユーザ装置において前記秘密鍵を使って復号化することと、をさらに備える、
付記２０に記載の方法。
【０１３３】
（付記２２）
前記暗号化された証明書をデータストアに格納することをさらに備え、
前記ユーザ装置プロファイルを読み出す前記ステップは前記証明書を読み出すことを含む、
付記２１に記載の方法。
【０１３４】
（付記２３）
支払い要求を受信する前記ステップは、取引に関する情報を受信することを含み、
ＰＯＳ設定を送信する前記ステップは、前記取引に関する前記情報と前記ＰＯＳ設定プロファイルとに応じて前記ＰＯＳ設定を生成することを含む、
付記２０から２２の何れか１つに記載の方法。
【０１３５】
（付記２４）
前記ＰＯＳ設定を生成する前記ステップは、公開鍵／秘密鍵の暗号化キーペアのうちの秘密鍵を使って、前記ＰＯＳ設定に署名することを含む、
付記２３に記載の方法。
【０１３６】
（付記２５）
前記ユーザ装置において、
前記ＰＯＳ端末によって前記ユーザ装置におけるカード払い取引を処理するステップと、
前記ＰＯＳ端末において支払い取引データに署名するステップと、
前記ＰＯＳ端末において署名された前記支払い取引データを暗号化するステップと、
前記ＰＯＳ端末によって暗号化されて署名された前記支払い取引データを支払いサービスホストに送るステップと、
前記ＰＯＳ端末によって前記ＰＯＳ端末のメモリから支払い情報を削除するステップと、
を実行することをさらに備える、
付記２０から２４の何れか１つに記載の方法。
【図１】
0006667498.tif 000002
【図２】
0006667498.tif 000003
【図３】
0006667498.tif 000004
【図４】
0006667498.tif 000005
【図５】
0006667498.tif 000006
【図６】
0006667498.tif 000007